(57)【特許請求の範囲】
【請求項１】
撮像装置を収容するハウジングと、前記撮像装置が被写体を撮像するための保護ガラスの表面を払拭するワイパー部とを有するハウジング装置において、
前記ワイパー部は、前記保護ガラスの前記表面を払拭する拭き取り部材と、一方の端において前記拭き取り部材を支持するアーム部と、前記アーム部の他方の端に連結され、前記アーム部を回動駆動する駆動部とを備え、
前記ハウジングは、弾性部材を備え、
前記拭き取り部材は、前記アーム部の回動端の少なくとも一方において、前記弾性部材と接触する、
ことを特徴とするハウジング装置。
【請求項２】
前記弾性部材は、前記ハウジングの外周の少なくとも一部に備えられていることを特徴とする請求項１に記載のハウジング装置。
【請求項３】
前記ハウジングは、前記保護ガラスより前方に延出する部分を有し、
前記部分の一部に切り欠きが形成され、
前記弾性部材は、前記部分の外周の少なくとも一部に備えられ、
前記拭き取り部材は、前記切り欠きを介して前記弾性部材と接触することを特徴とする請求項１に記載のハウジング装置。
【請求項４】
撮像装置を収容するハウジングと、前記撮像装置が被写体を撮像するための保護ガラスの表面を払拭するワイパー部とを有するハウジング装置において、
前記ワイパー部は、前記保護ガラスの前記表面を払拭する拭き取り部材と、一方の端において前記拭き取り部材を支持するアーム部と、前記アーム部の他方の端に連結され、前記アーム部を回動駆動する駆動部とを備え、
前記拭き取り部材と一体に形成された弾性部材を有し、前記弾性部材は、前記アーム部の回動端の少なくとも一方において、前記ハウジングと接触する、
ことを特徴とするハウジング装置。
【発明の詳細な説明】
【技術分野】
【０００１】
本発明は、撮像装置を収容するハウジング装置に関し、特に、ハウジング内に収容された撮像装置がハウジング外の被写体を撮像するための保護ガラスの表面を払拭するワイパー手段を備えるハウジング装置に関する。
【背景技術】
【０００２】
レンズ装置や撮影装置のハウジング装置には、保護ガラス面に付着した雨水等を拭き取るためのワイパー装置が設けられる。特許文献１は、ワイパー装置を用いたレンズ装置を小型化できる技術を開示している。
【先行技術文献】
【特許文献】
【０００３】
【特許文献１】実開平３−５９７７６号公報
【発明の概要】
【発明が解決しようとする課題】
【０００４】
特許文献１に記載の技術を適用すれば、ワイパー装置を用いたハウジング装置の小型化が可能である。しかしながら、ワイパーをハウジングに衝突させることで動作規制を行うため、ワイパー及びハウジングの破損や衝突時の騒音という新たな問題が発生する。それを防止するために緩衝部材や検出部材を設けると、部品点数が増えるためコストが高くなる。もちろん特許文献１記載の通り、ワイパー装置の往復動作端でのハウジングによる規制を行わないと、ハウジングの大型化もしくは、複雑な制御や検出部品等が必要となる。
【０００５】
本発明は、ハウジングによってワイパー部の拭き取り部材を規制するのに有利なハウジング装置を提供することを目的とする。
【課題を解決するための手段】
【０００６】
上記の課題を解決するために、本発明のハウジング装置は、撮像装置を収容するハウジングと、前記撮像装置が被写体を撮像するための保護ガラスの表面を払拭するワイパー部とを有するハウジング装置において、前記ワイパー部は、前記保護ガラスの前記表面を払拭する拭き取り部材と、一方の端において前記拭き取り部材を支持するアーム部と、前記アーム部の他方の端に連結され、前記アーム部を回動駆動する駆動部とを備え、前記ハウジングは、弾性部材を備え、前記拭き取り部材は、前記アーム部の回動端の少なくとも一方において、前記弾性部材と接触する、ことを特徴とする。
【発明の効果】
【０００７】
本発明によれば、ハウジングによってワイパー部の拭き取り部材を規制するのに有利なハウジング装置を提供することができる。
【図面の簡単な説明】
【０００８】
【図１】実施例１のハウジング装置の斜視図である。
【図２】実施例１のワイパー部の往復動作を表す図である。（ａ）は往動作前又は復動作後の状態、（ｂ）は動作中、（ｃ）は往動作後で復動作前の状態を示す図である。
【図３】図２（ａ）のＡ−Ａ断面図である。
【図４】実施例１のワイパーゴムとホルダーの保持構造を示す斜視図である。
【図５】実施例１のワイパー部の分解斜視図である。
【図６】実施例１の図２（ｃ）のＢ−Ｂ断面図である。
【図７】実施例２のハウジング装置の斜視図である。
【図８】実施例２のワイパー部の往復動作を表す図である。（ａ）は往動作前又は復動作後の状態、（ｂ）は動作中、（ｃ）は往動作後で復動作前の状態を示す図である。
【図９】図８（ａ）のＡ−Ａ断面図である。
【図１０】実施例２のワイパーゴムとホルダーの保持構造を示す斜視図である。
【図１１】図８（ｃ）のＢ−Ｂ断面図である。
【図１２】実施例３のハウジング装置の斜視図である。
【図１３】実施例３のワイパー部の往復動作を表す図である。（ａ）は往動作前又は復動作後の状態、（ｂ）は動作中、（ｃ）は往動作後で復動作前の状態を示す図である。
【図１４】図１３（ａ）のＡ−Ａ断面図である。
【発明を実施するための形態】
【０００９】
以下に、本発明の好ましい実施の形態を、添付の図面に基づいて詳細に説明する。図１〜１４は、本発明の実施形態に係るハウジング装置である。
【実施例１】
【００１０】
以下、図１〜６を参照して、本発明の第１の実施例に係るハウジング装置について説明する。
【００１１】
図１に基づいて、ハウジング装置の全体構成について説明する。図１はハウジング装置の要部斜視図である。図１で示すように、ハウジング装置はハウジング部１０１とレンズ部１０２及びワイパー部１０３から構成される。本発明のハウジング装置は、撮像装置を収容するハウジング装置であって、収容された撮像装置はハウジング装置の保護ガラスを通して被写体を撮影し、往復動作することで保護ガラス面を払拭するワイパー手段（拭き取り部材）を有する。
【００１２】
図１〜図５に基づいて、ハウジング部１０１とレンズ部１０２及びワイパー部１０３の詳細な構成及びワイパー部１０３の動作について説明する。
【００１３】
図２はワイパー部１０３の往復動作を表す図である。（ａ）は往動作前又は復動作後の状態、（ｂ）は動作中、（ｃ）は往動作後で復動作前の状態を示す。図３は図２（ａ）のＡ−Ａ断面図である。図４はワイパーゴムとホルダーの保持構造を示す斜視図である。図５はワイパー部１０３の分解斜視図である。まず、ハウジング部１０１について説明する。ハウジング部１０１に構成されるハウジング１には、ハウジング１の先端エッジを隠し、且つ外部からの衝撃を緩和する保護ゴム２が取り付く。更に、ハウジング１の内部には目隠し部材３が取り付けられる。次にレンズ部１０２について説明する。レンズ部１０２に構成される最も物体側の保護ガラス４は、押え環５を介して鏡筒６に保持される。ここで、目隠し部材３の摺動面３ａと保護ガラス４の摺動面４ａと押え環５の摺動面５ａが略同一面上に配置されるように、ハウジング部１０１とレンズ部１０２は固定される。ワイパー部１０３について説明する。弾性体からなるワイパーゴム（弾性部材）７は、その端部に駆動方向に突出して一体に形成された４つの凸部７ａ、７ｂ、７ｃ、７ｄを有する。一方ホルダー８は切り欠き８ａ及び８ｂを有する。７ａ及び７ｂが切り欠き８ａに、７ｃ及び７ｄが切り欠き８ｂに嵌ることでワイパーゴム７はホルダー８に保持される。ホルダー８は固定軸９によって、アーム（アーム部）１０の一方の端に回転可能に保持される。アーム１０の他方の端に有する溝部１０ａとモーター（駆動部）１１の回転軸１１ａが係合することで、アーム１０はモーター１１に連結固定される。また、モーター１１が目隠し部材３に取り付くことで、ハウジング部１０１とワイパー部１０３は固定される。以上の構成により、図示されない制御部からモーター１１に動作信号が与えられると、モーターの回転軸１１ａが回転（回動）する。すると、アーム１０及びホルダー８を介して、ワイパーゴム７の拭き取り部７ｅが摺動面３ａ、４ａ及び５ａ上を摺動しながら、図２の（ａ）→（ｂ）→（ｃ）→（ｂ）→（ａ）の順に往復動作（回動駆動）を行う。結果、保護ガラス４の摺動面４ａ上に付着した異物はワイパーゴム７によって拭き取られる。この構成により、固定軸９が保護ガラス４の摺動面４ａの一方向における端部から端部までを固定軸９が移動するのみで、かつ、ワイパーゴム７を保持するホルダー８の長さを摺動面４ａの一方向における長さ（ここでは直径）に対し必要以上に長く構成することなく、摺動面４ａのほぼ全面を拭き取ることができる。
【００１４】
図２、図３及び図６に基づいて、ワイパー部１０３の往復動作時の両側の可動端における緩衝構造について説明する。図６は図２（ｃ）のＢ−Ｂ断面図である。まず、ワイパー部１０３の往動作について説明する。図２の（ａ）→（ｂ）→（ｃ）のようにワイパー部１０３が往動作の可動端まで動作すると、ワイパーゴム７の凸部７ｂ及び７ｄがハウジング１の端部１ａと衝突する。次に図２の（ｃ）→（ｂ）→（ａ）のようにワイパー部１０３が復動作の可動端まで動作すると、ワイパーゴム７の凸部７ａ及び７ｃがハウジング１の端部１ｂと衝突する。すなわち、ワイパー部１０３は、ワイパーゴム（弾性部材）７を介してハウジング本体と接触することになり、直接、ワイパー部１０３がハウジング本体と接触することはない。以上の構造の通り、ワイパー部１０３の往復動差の可動端時の衝突は、ハウジング１とワイパーゴム７の凸部で行われる。よって、ワイパーゴム７の弾性効果により、衝突時の衝撃は緩衝される。
【００１５】
このように本発明のハウジング装置は、既存のワイパーゴムを用いてワイパー動作の可動端時の衝突を緩衝するため、部品点数を増やすことなく、ワイパー衝突時のワイパー及びハウジングの破損や騒音を防ぐことが可能となる。
【００１６】
また、このように、保護ガラス４の摺動面４ａを拭き取るワイパーゴム７を備えたホルダー８は、ワイパーゴム７の延在方向の両端部の間に配置された固定軸９を介してアーム１０に回動可能に支持され、ホルダー８とアーム１０の間ではその間の角度を規定するものはなく自由である。この構成を有することによって、本発明のワイパー装置においては、アーム１０の可動範囲を大きくせず、摺動面４ａの周囲の目隠し部材３の領域を広く確保しなくても、簡易な構成で摺動面４ａのほぼ全域（必要とされる拭き取り領域全域）を拭き取ることができる構成を実現することができる。
【実施例２】
【００１７】
以下、図７〜１１を参照して、本発明の第２の実施例に係るハウジング装置について説明する。
尚、本実施例と実施例１の変更箇所はハウジング部の保護ゴム及びワイパー部のワイパーゴムとホルダーのみであるため、それ以外の構成については実施例１を引用して説明を行う。
【００１８】
図７に基づいて、ハウジング装置の全体構成について説明する。
図７はハウジング装置の要部斜視図である。図７で示すように、ハウジング装置はハウジング部２０１とレンズ部１０２及びワイパー部２０３から構成される。
【００１９】
図７〜図１０に基づいて、ハウジング部２０１とワイパー部２０３の詳細な構成について説明する。尚、レンズ部１０２とワイパー部２０３の動作については、実施例１と同じため説明を省略する。
【００２０】
図８はワイパー部２０３の往復動作を表す図である。（ａ）は往動作前又は復動作後の状態、（ｂ）は動作中、（ｃ）は往動作後で復動作前の状態を示す。図９は図８（ａ）のＡ−Ａ断面図である。図１０はワイパーゴムとホルダーの保持構造を示す斜視図である。まず、ハウジング部２０１について説明する。ハウジング部２０１に構成されるハウジング１には、ハウジング１の先端エッジを隠し、且つ外部からの衝撃を緩和する保護ゴム１２が取り付く。更に、ハウジング１の内部には目隠し部材３が取り付けられる。ここで、目隠し部材３の摺動面３ａと保護ガラス４の摺動面４ａと押え環５の摺動面５ａが略同一面上に配置されるように、ハウジング部２０１とレンズ部１０２は固定される。次にワイパー部２０３について説明する。拭き取り部１３ａを有するワイパーゴム１３はホルダー１４に保持される。ホルダー１４は固定軸９によって、アーム１０に回転可能に保持される。アーム１０の溝部１０ａとモーター１１の回転軸１１ａが係合することで、アーム１０はモーター１１に連結固定される。また、モーター１１が目隠し部材３に取り付くことで、ハウジング部２０１とワイパー部２０３は固定される。
【００２１】
図８、図９及び図１１に基づいて、ワイパー部２０３の往復動作時の可動端における緩衝構造について説明する。図１１は図８（ｃ）のＢ−Ｂ断面図である。まず、ワイパー部２０３の往動作について説明する。図８の（ａ）→（ｂ）→（ｃ）のようにワイパー部２０３が往動作の可動端まで動作すると、ホルダー１４は保護ゴム１２の緩衝部１２ａと衝突する。次に図２の（ｃ）→（ｂ）→（ａ）のようにワイパー部２０３が復動作の可動端まで動作すると、ホルダー１４は保護ゴム１２の緩衝部１２ｂと衝突する。以上の構造の通り、ワイパー部２０３の往復動差の可動端時の衝突は、保護ゴム１２とホルダー１４で行われる。よって、保護ゴム１２の弾性効果により、衝突時の衝撃は緩衝される。
【００２２】
このように本発明のハウジング装置は、既存のハウジング保護ゴムを用いてワイパー動作の可動端時の衝突を緩衝するため、部品点数を増やすことなく、ワイパー衝突時のワイパー及びハウジングの破損や騒音を防ぐことが可能となる。
【実施例３】
【００２３】
以下、図１２〜１４を参照して、本発明の第３の実施例に係るハウジング装置について説明する。
尚、本実施例と実施例２の変更箇所はハウジング部のハウジングと保護ゴムのみであるため、それ以外の構成については実施例２を引用して説明を行う。
【００２４】
図１２に基づいて、ハウジング装置の全体構成について説明する。
図１２はハウジング装置の要部斜視図である。図１２で示すように、ハウジング装置はハウジング部３０１とレンズ部１０２及びワイパー部２０３から構成される。
【００２５】
図１２〜図１４に基づいて、ハウジング部３０１の詳細な構成について説明する。尚、レンズ部１０２とワイパー部２０３の構成及び動作については、実施例２と同じため説明を省略する。
【００２６】
図１３はワイパー部２０３の往復動作を表す図である。（ａ）は往動作前又は復動作後の状態、（ｂ）は動作中、（ｃ）は往動作後で復動作前の状態を示す。図１４は図１３（ａ）のＡ−Ａ断面図である。まず、ハウジング部３０１について説明する。ハウジング部３０１に構成されるハウジング１５の外周の少なくとも一部には、ハウジング１５の先端エッジを露出させないように隠し、且つ外部からの衝撃を緩和する保護ゴム（本体弾性部材）１６が固定されている。更に、ハウジング１５の内部には目隠し部材３が取り付けられ、また目隠し部材３にはストッパー１７が固定される。ここで、目隠し部材３の摺動面３ａと保護ガラス４の摺動面４ａと押え環５の摺動面５ａが略同一面上に配置されるように、ハウジング部３０１とレンズ部１０２は固定される。
【００２７】
図１３及び図１４に基づいて、ワイパー部２０３の復動作時の可動端における緩衝構造について説明する。まず、ワイパー部２０３の往動作について説明する。図１３の（ａ）→（ｂ）→（ｃ）のようにワイパー部２０３が往動作の可動端まで動作すると、アーム１０はストッパー１７と衝突する。次に図１３の（ｃ）→（ｂ）→（ａ）のようにワイパー部２０３が復動作の可動端まで動作すると、ホルダー１４は、保護ガラス４より前方に延出して形成されたハウジング１５の庇部１５ｂに形成された切り欠き部１５ａを介して保護ゴム１６と一体で形成されている緩衝部１６ａと衝突する。以上の構造の通り、ワイパー部２０３の復動差の可動端時のハウジング本体との衝突は、保護ゴム１６とホルダー１４で行われる。よって、保護ゴム１６の弾性効果により、衝突時の衝撃は緩衝される。
【００２８】
このように本発明のハウジング装置は、既存のハウジング保護ゴムを用いてワイパー復動作の可動端時のハウジング本体とワイパー部との衝突を緩衝するため、部品点数を増やすことなく、ワイパー衝突時のワイパー及びハウジングの破損や騒音を防ぐことが可能となる。加えて、ハウジングを切り欠くことでハウジング保護ゴムとワイパーホルダーを衝突させるため、小型化が可能となる。
【００２９】
以上、本発明の好ましい実施形態について説明したが、本発明はこれらの実施形態に限定されず、その要旨の範囲内で種々の変形及び変更が可能である。例えば、本実施例ではレンズ部に保護ガラスが保持されているが、ハウジングに保護ガラスが保持されてもよい。その際には目隠し部材を用いて保護ガラスを保持することが望ましい。
【符号の説明】
【００３０】
１０１・・・ハウジング部
１０３・・・ワイパー部
１    ・・・ハウジング
４    ・・・保護ガラス
７ａ  ・・・緩衝部（弾性部材）
７ｂ  ・・・緩衝部（弾性部材）
１０  ・・・アーム部
１１  ・・・駆動部
【図１】
0006666040.tif 000002
【図２】
0006666040.tif 000003
【図３】
0006666040.tif 000004
【図４】
0006666040.tif 000005
【図５】
0006666040.tif 000006
【図６】
0006666040.tif 000007
【図７】
0006666040.tif 000008
【図８】
0006666040.tif 000009
【図９】
0006666040.tif 000010
【図１０】
0006666040.tif 000011
【図１１】
0006666040.tif 000012
【図１２】
0006666040.tif 000013
【図１３】
0006666040.tif 000014
【図１４】
0006666040.tif 000015